(57)【要約】【課題】楽曲情報のグループ化を容易に行うことのできる音響再生装置を提供する。【解決手段】複数種類の楽曲情報が記録されたＭＤにアクセスすることにより、一定の基準にしたがってＭＤ内の楽曲情報を編集し、再生するためのＭＤ装置であって、ユーザの操作によりＭＤに対して楽曲情報の属性を設定可能な操作部３と、操作部３によって設定された属性を各楽曲情報について検出し、検出した属性に基づいてＭＤ内の楽曲情報をグループ化する制御部１とを備える。【選択図】　図１
2004013924.tif 000002
【特許請求の範囲】
【請求項１】
複数種類の楽曲情報が記録された記録媒体にアクセスすることにより、一定の基準にしたがって上記記録媒体内の楽曲情報を編集し、再生するための音響再生装置であって、
ユーザの操作により上記記録媒体に対して楽曲情報の属性を設定可能な設定手段と、
上記設定手段によって設定された属性を各楽曲情報について検出し、検出した属性に基づいて上記記録媒体内の楽曲情報をグループ化する編集手段とを備えることを特徴とする、音響再生装置。
【請求項２】
上記編集手段は、
上記記録媒体から属性を含む楽曲情報を読み出して、上記楽曲情報を所定の順序で配列するように一時的に記憶手段に記憶し、同じ属性を含む楽曲情報が連続するようにその配列を変更することにより上記楽曲情報をグループ化する、請求項１に記載の音響再生装置。
【請求項３】
上記属性は、上記楽曲情報をグループ化するための楽曲情報の種別を表す情報である、請求項１または２に記載の音響再生装置。
【請求項４】
複数種類の楽曲情報が記録された記録媒体にアクセスすることにより、一定の基準にしたがって上記記録媒体内の楽曲情報を編集し、再生するための音響再生装置を制御するためのコンピュータプログラムであって、
ユーザの操作により上記記録媒体に対して楽曲情報の属性を設定可能な設定プログラムと、
上記設定手段によって設定された属性を各楽曲情報について検出し、検出した属性に基づいて上記記録媒体内の楽曲情報をグループ化する編集プログラムとを含むことを特徴とするコンピュータプログラム。
【請求項５】
複数種類の楽曲情報が記録された記録媒体にアクセスすることにより、一定の基準にしたがって上記記録媒体内の楽曲情報をグループ化し、グループ化された楽曲情報を再生するための音響再生装置であって、
上記各グループ内において再生順番が予め決められた楽曲情報の中から、特定番目の楽曲情報を選択する選択手段と、
上記選択手段によって選択された特定番目の楽曲情報をグループごとに連続して再生する再生手段とを備えることを特徴とする、音響再生装置。
【請求項６】
複数種類の楽曲情報が記録された記録媒体にアクセスすることにより、一定の基準にしたがって上記記録媒体内の楽曲情報をグループ化し、グループ化された楽曲情報を再生するための音響再生装置を制御するためのコンピュータプログラムであって、
上記各グループ内において再生順番が予め決められた楽曲情報の中から、特定番目の楽曲情報を選択する選択プログラムと、
上記選択プログラムによって選択された特定番目の楽曲情報をグループごとに連続して再生する再生プログラムとを含むことを特徴とするコンピュータプログラム。
【発明の詳細な説明】
【０００１】
【発明の属する技術分野】
本発明は、たとえばＭＤ（ｍｉｎｉ　ｄｉｓｃ）に記録されている複数種類の楽曲情報を再生するための音響再生装置に関する。
【０００２】
【従来の技術】
たとえばＭＤ装置においては、「ＬＰ（Ｌｏｎｇ　Ｐｌａｙ）２」、「ＬＰ４」等と呼称される長時間の録音が可能な機能が規格化されている。また、最近では、ＭＤ装置において、ＭＤに記録される複数種類の楽曲情報をたとえばアーティスト別、ジャンル別あるいはアルバム別等にひとまとめにしてグループ化するといった、いわゆるグループ機能を備えたものも提案されている。このグループ機能によれば、ユーザは、グループごとにアクセスが可能となり、所望の楽曲情報を即座に選択して再生させることができる。
【０００３】
【発明が解決しようとする課題】
しかしながら、複数種類の楽曲情報をグループ化する場合、ユーザは、ＭＤ装置に設けられている操作部を（たとえば「ＭＯＶＥ」といったコマンドを用いて）操作することにより、楽曲情報を任意の他の楽曲情報の前後に移動させなければならない。しかも、グループ化したい所望の全ての楽曲情報について、上記作業を行う必要がある。したがって、グループ化するには、ユーザにとって面倒かつ煩雑な作業が発生していた。
【０００４】
【発明の開示】
本発明は、上記した事情のもとで考え出されたものであって、楽曲情報のグループ化を容易に行うことのできる音響再生装置を提供することを、その課題とする。
【０００５】
上記の課題を解決するため、本発明では、次の技術的手段を講じている。
【０００６】
本発明の第１の側面によって提供される音響再生装置は、複数種類の楽曲情報が記録された記録媒体にアクセスすることにより、一定の基準にしたがって上記記録媒体内の楽曲情報を編集し、再生するための音響再生装置であって、ユーザの操作により上記記録媒体に対して楽曲情報の属性を設定可能な設定手段と、上記設定手段によって設定された属性を各楽曲情報について検出し、検出した属性に基づいて上記記録媒体内の楽曲情報をグループ化する編集手段とを備えることを特徴としている。
【０００７】
好ましい実施の形態によれば、上記編集手段は、上記記録媒体から属性を含む楽曲情報を読み出して、上記楽曲情報を所定の順序で配列するように一時的に記憶手段に記憶し、同じ属性を含む楽曲情報が連続するようにその配列を変更することにより上記楽曲情報をグループ化する。
【０００８】
他の好ましい実施の形態によれば、上記属性は、上記楽曲情報をグループ化するための楽曲情報の種別を表す情報であり、たとえば、「Ｊａｚｚ」、「Ｃｌａｓｓｉｃ」等のジャンル名、アーティスト名、またはアルバム名等が挙げられる。
【０００９】
本発明によれば、ユーザが設定手段を用いて各楽曲情報に対して、その楽曲情報の属性（たとえばジャンル名）を設定すれば、その属性に基づいて楽曲情報をたとえばジャンル別に容易にグループ化することができる。そのため、ユーザは、複数種類の楽曲情報をグループ化するときに、グループ化したい所望の楽曲情報をひとつひとつ面倒な操作によって移動させる必要がない。したがって、利便性の高い音響再生装置を提供することができる。
【００１０】
本発明の第２の側面によって提供されるコンピュータプログラムは、複数種類の楽曲情報が記録された記録媒体にアクセスすることにより、一定の基準にしたがって上記記録媒体内の楽曲情報を編集し、再生するための音響再生装置を制御するためのコンピュータプログラムであって、ユーザの操作により上記記録媒体に対して楽曲情報の属性を設定可能な設定プログラムと、上記設定手段によって設定された属性を各楽曲情報について検出し、検出した属性に基づいて上記記録媒体内の楽曲情報をグループ化する編集プログラムとを含むことを特徴としている。
【００１１】
本発明の第３の側面によって提供される音響再生装置は、複数種類の楽曲情報が記録された記録媒体にアクセスすることにより、一定の基準にしたがって上記記録媒体内の楽曲情報をグループ化し、グループ化された楽曲情報を再生するための音響再生装置であって、上記各グループ内において再生順番が予め決められた楽曲情報の中から、特定番目の楽曲情報を選択する選択手段と、上記選択手段によって選択された特定番目の楽曲情報をグループごとに連続して再生する再生手段とを備えることを特徴としている。
【００１２】
本発明によれば、各グループ内の特定番目（たとえば一番目）の楽曲情報がグループごとに連続して再生されるので、たとえば各グループ内の一番目の楽曲がユーザの好みの楽曲になるように設定しておけば、ユーザは、好みの楽曲を連続して聴くことができる。
【００１３】
本発明の第４の側面によって提供されるコンピュータプログラムは、複数種類の楽曲情報が記録された記録媒体にアクセスすることにより、一定の基準にしたがって上記記録媒体内の楽曲情報をグループ化し、グループ化された楽曲情報を再生するための音響再生装置を制御するためのコンピュータプログラムであって、上記各グループ内において再生順番が予め決められた楽曲情報の中から、特定番目の楽曲情報を選択する選択プログラムと、上記選択プログラムによって選択された特定番目の楽曲情報をグループごとに連続して再生する再生プログラムとを含むことを特徴としている。
【００１４】
本発明のその他の特徴および利点は、添付図面を参照して以下に行う詳細な説明によって、より明らかとなろう。
【００１５】
【発明の実施の形態】
以下、本発明の好ましい実施の形態を、添付図面を参照して具体的に説明する。
【００１６】
図１は、本発明に係る音響再生装置として適用されるＭＤ装置の一例を示すブロック構成図である。このＭＤ装置は、ＭＤに記録されている楽曲を再生したり、ＭＤに対して楽曲を録音したりするものであり、加えて複数の楽曲を一定の基準に基づいてグループ化する機能を備えたものである。なお、このＭＤ装置では、グループの総数は、規格により最大９９個に決められている。
【００１７】
このＭＤ装置は、制御部１、操作部２および表示部３を備えている。制御部１は、たとえばマイクロコンピュータからなり、本ＭＤ装置の全体制御を司るものである。制御部１は、後述するメモリ１６に記憶されている動作プログラムやユーザの操作による操作部２からの操作信号等に基づいて、各部の制御を行う。
【００１８】
操作部２は、図示しない複数のキーが設けられており、これらのキーをユーザが操作することにより、制御部１に操作信号が伝達され、ＭＤの挿入や排出、再生や停止あるいは録音等のＭＤの録音再生制御が行われる。
【００１９】
表示部３は、たとえば液晶表示器からなり、再生されている曲やＭＤ装置の動作を案内表示する。
【００２０】
制御部１には、ＭＤにアクセスするためのサーボ回路４が接続されている。サーボ回路４には、ヘッド部５およびＲＦアンプ６が接続されている。
【００２１】
ヘッド部５は、ＭＤを回転させるためのスピンドルモータ（図示略）、およびＭＤに記録されているデータの読み出しおよび書き込みを行うためのピックアップ（図示略）等を備えている。サーボ回路４は、制御部１からの制御信号に基づいて、このヘッド部５を制御する。
【００２２】
また、ＲＦアンプ６は、サーボ回路４を介してヘッド部５から送られる再生信号（楽曲情報）を増幅し、アドレスデコーダ７に供給するものである。
【００２３】
アドレスデコーダ７は、ヘッド部５からの再生信号に基づいて、楽曲情報のアドレスをデコードするものであり、デコードした楽曲情報は、後述する信号処理部１０に送られる。
【００２４】
制御部１には、信号処理部１０およびメモリ制御回路１１が接続されている。信号処理部１０は、いわゆるＡＴＲＡＣ（Ａｄａｐｔｉｖｅ　ＴＲａｎｓｆｏｒｍ　Ａｃｏｕｓｔｉｃ　Ｃｏｄｉｎｇ）ＬＳＩによって実現され、楽曲情報の圧縮符号化および復号化を行う。
【００２５】
信号処理部１０には、ＤＡＣ（Ｄｉｇｉｔａｌ　Ａｎａｌｏｇ　Ｃｏｎｖｅｒｔｅｒ）１２およびＡＤＣ（Ａｎａｌｏｇ　Ｄｉｇｉｔａｌ　Ｃｏｎｖｅｒｔｅｒ）１３が接続されている。ＤＡＣ１２は、信号処理部１０からのディジタルデータをアナログの楽曲信号に変換し、アナログ出力端子１４に供給するものである。ＡＤＣ１３は、アナログ入力端子１５からのアナログの楽曲信号をディジタルデータに変換し、信号処理部１０に供給するものである。
【００２６】
メモリ制御回路１１は、メモリ１６を接続し、制御部１からの制御信号に基づいてメモリ１６を制御する。メモリ１６は、たとえばＤＲＡＭからなり、楽曲情報の記録や再生に際してバッファメモリとして機能する。
【００２７】
このＭＤ装置で用いられるＭＤは、ディスク名や楽曲の曲名等が記録されたデータ記憶領域を有しており、このデータ記憶領域には、図２に示すように、楽曲の演奏（再生）順番を示すリストがテーブル形式で記録されている。同図によると、このリストでは、各トラック番号（ここでは２０存在する）に対応したトラックのトラックネームが記憶されている。なお、トラックとは、ここでは、楽曲のことを示すこととする。また、上記リストは、ＭＤがＭＤ装置に挿入された時点でＭＤ装置に読み込まれ、メモリ１６に転送されて一時的に記憶される。
【００２８】
この実施形態では、上記各トラックネームに対してトラックの属性が付加されている。ここで、属性とは、トラックをグループ化するためのトラックを種別するための情報（たとえば、ジャンル名やアーティスト名）である。たとえば、図２によれば、トラック番号が「１」である「ｔｒａｃｋ１」に記憶されたトラックネームには、属性として「Ｊａｚｚ」が設定されており、すなわち、トラックネームには、実際のトラック名の後ろに「／」を介して「Ｊａｚｚ」が含まれている。これらの属性は、予めユーザによって操作部２を用いてＭＤがＭＤ装置に挿入されたときに設定される。
【００２９】
このＭＤ装置では、各トラックのトラックネームに付加された属性に基づいて、図２に示すトラックをグループ化する。すなわち、同じ属性を有するトラックをひとまとめにし、それらをグループとして登録する。なお、図２に示すリストは、たとえば複数のシングルＣＤからダビングされたときのトラックを示しており、そのため、トラックの属性であるジャンルは、統一のない順番で記憶されている。
【００３０】
次に、制御部１の制御動作について、図３に示すフローチャートを参照して説明する。たとえばユーザがこのＭＤ装置を用いてＭＤ内のトラックを編集（グループ化）する場合、制御部１は、当該ＭＤにトラックが存在するか否かを判別する（Ｓ１）。
【００３１】
トラックが存在しない場合（Ｓ１：ＮＯ）、本処理を終了する。一方、トラックが存在する場合（Ｓ１：ＹＥＳ）、グループ化を行う旨の操作がユーザによって操作部２を介してなされたか否かを判別する（Ｓ２）。
【００３２】
ユーザによってグループ化を行う旨の操作がされない場合（Ｓ２：ＮＯ）、本処理を終了する。一方、グループ化を行う旨の操作がされたと判別された場合（Ｓ２：ＹＥＳ）、変数Ｎを「１」にする（Ｓ３）。ここで、変数Ｎとは、上記リスト（図２参照）上におけるトラック番号を表す値である。
【００３３】
次いで、変数Ｍおよび変数Ａを「０」にする（Ｓ４）。ここで、変数Ｍとは、同じジャンル名のトラックがあった場合のトラックの総数を表す値であり、変数Ａとは、新たなジャンル名を確認したときの上記リスト上におけるトラック番号を表す値である。
【００３４】
次に、トラック番号がＮ番目のトラックネームを確認し（Ｓ５）、トラックネームにジャンルを表す属性があるか否かを判別する（Ｓ６）。具体的には、トラックネームに「／」の文字が挿入されているか否かを判別する。トラックネームに「／」の文字が挿入されておれば、その後に、ジャンルが挿入されていることになり、ジャンルを表すデータがあると判別する。
【００３５】
トラックネームにジャンルがない場合（Ｓ６：ＮＯ）、後述するステップＳ１１に進む。一方、トラックネームにジャンルがある場合（Ｓ６：ＹＥＳ）、変数Ｍが「０」であるか否かを判別する（Ｓ７）。変数Ｍが「０」のとき、すなわち、ジャンル名を新たに判別した場合、変数Ｎの値を変数Ａとして置換する（Ｓ８）。たとえば、変数Ｎが「１」であれば、変数Ａが「１」とされる。
【００３６】
そして、たとえば、トラック番号１のトラックに含まれるジャンル名（たとえば、「Ｊａｚｚ」）を一旦メモリ１６に記憶する（Ｓ９）。次いで、変数Ｍに「１」を加えたものを変数Ｍとおく（Ｓ１０）。たとえば、ジャンル名を新たに判別した場合、「１」が設定される。
【００３７】
次いで、最終のトラックを確認したか否かの判別を行い（Ｓ１１）、確認していない場合（Ｓ１１：ＮＯ）、変数Ｎに「１」を加えたものを変数Ｎとおく（Ｓ１２）。これは、リスト上の次のトラック番号のトラックを確認するためである。その後、ステップＳ５の処理に戻る。
【００３８】
次のトラック番号のトラックにおいても、同様にトラックネームにジャンル名があるか否かを判別し（Ｓ５，６）、変数Ｍが「０」であるか否かを判別する（Ｓ７）。ここで、ステップＳ７において、変数Ｍが「０」でない場合（Ｓ７：ＮＯ）、すなわち、変数Ｍが１以上の場合、次のトラックネームが有するジャンル名が先にメモリ１６に記憶されたジャンル名と同じであるか否かを判別する（Ｓ１３）。ジャンル名が同じである場合（Ｓ１３：ＹＥＳ）、Ｎ番目のトラックを（Ａ＋Ｍ）番目のトラック番号に移動させる（Ｓ１４、図５のＢ参照）。
【００３９】
トラックの移動後、前述したステップＳ１０に進み、変数Ｍに「１」を加えたものを変数Ｍとおく。一方、ステップＳ１３において、ジャンル名が同じでない場合（Ｓ１３：ＮＯ）、ステップＳ１１の最終のトラックを確認したか否かの判別処理に進む。
【００４０】
すなわち、ステップＳ５〜Ｓ１４の処理では、全トラック（ｔｒａｃｋ１〜ｔｒａｃｋ２０）に対して、たとえばジャンル名「Ｊａｚｚ」がトラックネームに含まれるか否かを確認し、同じジャンル名のトラックがあれば、図５のＢに示したように、同じジャンル名のトラックが連続するように当該トラックを移動させる。この処理により、ジャンル名「Ｊａｚｚ」を有するトラックが、図６のＣに示すように、ひとまとめに配列される。
【００４１】
次いで、ステップＳ１１において、最終のトラックを確認したと判別した場合（Ｓ１１：ＹＥＳ）、変数Ｍが２以上であるか否かを判別する（図４のＳ１５）。変数Ｍが２以上である場合（Ｓ１５：ＹＥＳ）、すなわち、同じジャンルのトラックの総数が２個以上あった場合、変数Ａ番目のトラック番号から（変数Ａ＋変数Ｍ−１）番目のトラック番号までを、同じジャンル名を有するトラックであると認識し（図６のＣ参照）、それらをグループ化する（Ｓ１６）。具体的には、ＭＤのディスクネームのデータ記憶領域に、グループ化されたことを示すデータ（たとえば、「０；ＭＤ　ＤＩＳＫ　ＮＡＭＥ／／１−８；Ｊａｚｚ」）が書き込まれる。
【００４２】
その後、変数Ａと変数Ｍとを加えたものを変数Ｎに置換する（Ｓ１６）。これは、グループ化した複数のトラックの次のトラックを確認するためである。次いで、変数Ｎが最大トラック数以上になったか否かを判別し（Ｓ１８）、変数Ｎが最大トラック数以上になった場合（Ｓ１８：ＹＥＳ）、最後のトラックまで確認したこととして本処理を終了する。一方、変数Ｎが最大トラック数以上になっていない場合（Ｓ１８：ＮＯ）、図３のステップＳ４の処理に戻る。
【００４３】
また、ステップＳ１５において、変数Ｍが２以上でない場合（Ｓ１５：ＮＯ）、変数Ａが「０」であるか否かを判別する（Ｓ１９）。変数Ａが「０」である場合（Ｓ１９：ＹＥＳ）、ジャンルが検出されなかったとして、変数Ｎに「１」を加えたものを変数Ｎとおき（Ｓ２０）、すなわち、リスト上の次のトラック番号のトラックを確認するために、ステップＳ１８の処理に進む。また、ステップＳ１９において、変数Ａが「０」でない場合（Ｓ１９：ＮＯ）、変数Ａに「１」を加えたものを変数Ｎとおく（Ｓ２１）。これは、ジャンルを検出したがそのジャンル名を有するトラックの数が１個の場合を示し、この場合も、ステップＳ１８の処理に進む。
【００４４】
上記のように、ユーザがトラックの属性として、ジャンル名をＭＤに記憶されている各トラックに対して入力することにより、図７に示すように、複数のトラックを「Ｊａｚｚ」、「Ｃｌａｓｓｉｃ」、および「Ｐｏｐｓ」といったジャンル別にグループ化することができる。このとき、ＭＤのディスクネームのデータ記憶領域には、グループ化されたことを示すデータとして、たとえば、「０；ＭＤ　ＤＩＳＫ　ＮＡＭＥ／／１−８；Ｊａｚｚ／／９−１４；Ｃｌａｓｓｉｃ／／１５−２０；Ｐｏｐｓ／／」）と書き込まれる。
【００４５】
そのため、ユーザは、グループ化したい所望の複数のトラックを面倒な操作によって移動させることなく、容易に複数種類のトラックをグループ化することができる。そして、グループ化されたトラックを再生して、その演奏を楽しむことができる。したがって、利便性の高い音響再生装置を提供することができる。
【００４６】
なお、ユーザが設定する属性としては、上記したジャンルに限らず、たとえば、アーティスト名やアルバム名等でもよい。また、ユーザは、任意の属性（たとえば「Ｆａｖｏｒｉｔｅ」、「２００２Ｈｉｔ」等）を設定するようにしてもよい。
【００４７】
ところで、上記のようにユーザが複数種類のトラックをグループ化するとき、ひとつの形態としてアルバム別にグループ化することがある。通常、アルバムには、シングルカットされるトラックが含まれていることが多いが、ユーザは、このシングルカットされたトラックを連続して聴きたいと思うことがある。
【００４８】
通常、アルバムでは、シングルカットするトラックがアルバムの１曲目におかれていることが多い。そのため、本実施形態では、この習性を利用して、１アルバムを１グループとしてグループ化した場合、各グループの１曲目のトラックを選択し、選択したトラックをグループごとに連続して再生するようにしている。
【００４９】
以下、上記形態に係る制御動作を図８に示すフローチャートを参照して説明する。制御部１は、まず、ＭＤにグループが存在するか否かを判別する（Ｓ３１）。ＭＤにグループが存在しない場合（Ｓ３１：ＮＯ）、本処理を終了する。
【００５０】
ＭＤにグループが存在している場合（Ｓ３１：ＹＥＳ）、ユーザによってグループの１曲目を演奏するモードが選択されているか否かを判別する（Ｓ３２）。グループの１曲目を演奏するモードが選択されていない場合（Ｓ３２：ＮＯ）、本処理を終了する。
【００５１】
グループの１曲目をグループごとに連続して演奏するモードが選択されている場合（Ｓ３２：ＹＥＳ）、変数Ｇを「１」とおく（Ｓ３３）。ここで、変数Ｇは、グループ番号を示す値である。
【００５２】
次いで、制御部１は、Ｇ番目のグループの１曲目を演奏する（Ｓ３４）。演奏が終了した時点で、最終グループの演奏を完了したか否かの判別を行う（Ｓ３５）。最終グループの演奏を完了した場合（Ｓ３５：ＹＥＳ）、本処理を終了する。
【００５３】
最終グループの演奏を完了していない場合（Ｓ３５：ＮＯ）、ユーザの操作による演奏の停止要求があるか否かの判別を行う（Ｓ３６）。演奏の停止要求がある場合（Ｓ３６：ＹＥＳ）、本処理を終了する。
【００５４】
演奏の停止要求がない場合（Ｓ３６：ＮＯ）、変数Ｇに「１」を加えたものを変数Ｇとおき（Ｓ３７）、ステップＳ３４に戻り、Ｇ番目のグループの１曲目を演奏する処理に戻る。この場合、たとえば２番目のグループの１曲目が演奏される。すなわち、最終グループの１曲目の演奏があるまで、かつ演奏の停止要求が操作されない限り、各グループの１曲目のみが連続してそれぞれ演奏されることになる。
【００５５】
このように、グループごとの１曲目のみが連続して演奏されれば、たとえばグループがアルバム別にまとめられ、各アルバムの１曲目がシングルカットされたトラックの場合、ユーザは、シングルカットされたトラックをアルバムごとに連続して聴くことができる。そのため、より楽しみながらＭＤに記録されたトラックを聴くことができる。
【００５６】
なお、上記制御では、各グループの１曲目のトラックを選択して演奏するようにしたが、これに限らず、たとえば各グループの２曲目あるいは３曲目といった１曲目以外のトラックが選択されてもよい。また、各グループにおいて、たとえば１曲目と３曲目といった複数のトラックが選択されて、それらがグループごとに連続して演奏されるようにしてもよい。
【００５７】
もちろん、この発明の範囲は上述した実施の形態に限定されるものではない。たとえば、上記実施形態では、ＭＤ装置について説明したが、ＭＤ装置に代わり、ＣＤ装置等に上記制御が適用されてもよい。
【００５８】
【図面の簡単な説明】
【図１】本発明に係る音響再生装置としてのＭＤ装置のブロック構成図である。
【図２】トラックの演奏順序と各トラックのトラックネームとを示す図である。
【図３】制御部の制御動作を示すフローチャートである。
【図４】制御部の制御動作を示すフローチャートである。
【図５】トラックの演奏順序と各トラックのトラックネームとを示す図である。
【図６】トラックの演奏順序と各トラックのトラックネームとを示す図である。
【図７】トラックの演奏順序と各トラックのトラックネームとを示す図である。
【図８】制御部の制御動作を示すフローチャートである。
【符号の説明】
１　制御部
２　操作部
３　表示部
４　サーボ回路
５　ヘッド回路
１０　信号処理部
１１　メモリ制御回路
【図１】
2004013924.tif 000003
【図２】
2004013924.tif 000004
【図３】
2004013924.tif 000005
【図４】
2004013924.tif 000006
【図５】
2004013924.tif 000007
【図６】
2004013924.tif 000008
【図７】
2004013924.tif 000009
【図８】
2004013924.tif 000010